(57)【要約】【課題】  過電流が流れた場合に入力を確実に遮断して異常発熱を回避することができ、しかも雷サージや突入電流に対しても十分な保護機能を発揮するスイッチング式ＡＣアダプタの保護回路を提供する。【解決手段】  交流電圧を整流して直流電圧に変換するスイッチング式ＡＣアダプタ２の保護回路１である。サージ保護用抵抗３と温度ヒューズ４が隣接配置され、異常電流通電時のサージ保護用抵抗３の発熱により温度ヒューズ４が遮断される。サージ保護用抵抗３と温度ヒューズ４とは一体化され、一体部品として構成される。温度ヒューズ４は、バイメタルヒューズであってもよい。【選択図】  図１
2007037383.tif 000002
【特許請求の範囲】
【請求項１】
交流電圧を整流して直流電圧に変換するスイッチング式ＡＣアダプタの保護回路であって、
サージ保護用抵抗と温度ヒューズが隣接配置され、異常電流通電時の前記サージ保護用抵抗の発熱により前記温度ヒューズが遮断されることを特徴とするスイッチング式ＡＣアダプタの保護回路。
【請求項２】
前記サージ保護用抵抗と前記温度ヒューズとが一体化され、一体部品として構成されていることを特徴とする請求項１記載のスイッチング式ＡＣアダプタの保護回路。
【請求項３】
前記温度ヒューズは、前記スイッチング式電源アダプタの内部温度の上昇により遮断されることを特徴とする請求項１または２記載のスイッチング式ＡＣアダプタの保護回路。
【請求項４】
前記温度ヒューズは、バイメタルヒューズであることを特徴とする請求項１から３のいずれか１項記載のスイッチング式ＡＣアダプタの保護回路。
【発明の詳細な説明】
【技術分野】
【０００１】
本発明は、交流電圧を整流して直流電圧に変換するスイッチング式ＡＣアダプタの保護回路に関する。
【背景技術】
【０００２】
スイッチング式ＡＣアダプタは、電源トランスを用いる電源装置と比較して小型化及び軽量化が可能であることから、多くの家電機器やパーソナルコンピュータ等の電力供給手段として使用されている（例えば、特許文献１等参照。）。
【０００３】
このようなスイッチング式ＡＣアダプタでは、入力された電圧を、ダイオードブリッジ等によって整流するとともにコンデンサによって平滑した上で、一次巻線が巻装されたトランスに入力する。このとき、平滑した電圧を、制御回路によって制御されるトランジスタ等のスイッチング素子によってオン／オフ制御しながらトランスに入力することにより、方形波からなる交流電圧に変換する。さらに、トランスによって電圧を調整した後、二次巻線側回路によって直流電圧に変換する。スイッチング式ＡＣアダプタでは、スイッチング素子のスイッチング動作を制御回路によって制御して方形波の時間幅を変化させるとともに、トランスの一次巻線及び二次巻線の巻数比を選択することにより、任意の出力電圧を得ることができる。
【特許文献１】特開平１１−１８７６４３号公報
【発明の開示】
【発明が解決しようとする課題】
【０００４】
ところで、従来のスイッチング式ＡＣアダプタにおいては、ＡＣ入力の過電流保護及びサージ対策として、巻き線抵抗（１０Ω程度）によって対応を行っているが、入力の電源にトラベルコンバータを使用した場合及び回路異常によって前記巻き線抵抗を断線できないレベルの大電流が流れた場合、前記巻き線抵抗が異常発熱して筐体を溶かし、危険な状態となる。
【０００５】
このような不都合を解消するの対応策としては、前記巻き線抵抗の電流ヒューズへの置き換えが考えられるが、この場合、雷サージ及び突入電流に対しての保護機能が低下するという新たな問題が生ずる。
【０００６】
本発明は、このような従来の実情に鑑みてなされたものであり、過電流が流れた場合に入力を確実に遮断して異常発熱を回避することができ、しかも雷サージや突入電流に対しても十分な保護機能を発揮するスイッチング式ＡＣアダプタの保護回路を提供することを目的とする。
【課題を解決するための手段】
【０００７】
前述した目的を達成するために、本発明に係るスイッチング式ＡＣアダプタの保護回路は、交流電圧を整流して直流電圧に変換するスイッチング式ＡＣアダプタの保護回路であって、サージ保護用抵抗と温度ヒューズが隣接配置され、異常電流通電時の前記サージ保護用抵抗の発熱により前記温度ヒューズが遮断されることを特徴とする。
【０００８】
このような構成を有する本発明に係るスイッチング式ＡＣアダプタの保護回路においては、過電流が入力されると、サージ保護用抵抗が発熱し、その熱が隣接配置される温度ヒューズに伝達される。その結果、電流ヒューズが切断され、入力が遮断される。また、サージ保護用抵抗も接続されているので、雷サージや突入電流に対しても十分な保護機能を発揮する。
【０００９】
また、本発明の保護回路においては、スイッチング式ＡＣアダプタ本体の内部発熱を利用して前記温度ヒューズの遮断を促進することも可能である。さらに、本発明においては、前記電流ヒューズとして、バイメタルヒューズを利用することも可能である。溶断型の温度ヒューズの場合、一度溶断されると復帰することはできないが、バイメタルヒューズを用いれば、何度でも繰り返し使用が可能となる。
【発明の効果】
【００１０】
本発明によれば、サージ保護用抵抗と温度ヒューズとの協働により、規定以上の入力がＡＣアダプタに入力されるのを確実に防止することができ、また、サージ保護用抵抗が収容される筐体が溶解する等の危険な状態となるのを未然に回避することができる。さらに、前記サージ保護用抵抗の働きにより、雷サージや突入電流に対しても十分な保護機能を実現することができる。
【発明を実施するための最良の形態】
【００１１】
以下、本発明を適用したスイッチング式ＡＣアダプタの保護回路の具体的な実施の形態について、図面を参照しながら詳細に説明する。
【００１２】
図１に示すように、本発明の実施の形態として示すスイッチング式ＡＣアダプタの保護回路１は、図１に示すように、スイッチング式ＡＣアダプタ２の前段に設けられるものである。
【００１３】
保護回路１は、サージ保護用抵抗３と電流ヒューズ４とが直列に接続することにより構成されており、これらサージ保護用抵抗３と電流ヒューズ４とが、いわゆるパッケージングにより一体化され、一体部品として入力電源と前記スイッチング式ＡＣアダプタ２の間に接続されている。
【００１４】
前記サージ保護用抵抗３としては、ＡＣ入力の過電流保護及びサージ対策として用いられている巻き線抵抗等が使用可能であり、当該サージ保護用抵抗３を入力とスイッチング式ＡＣアダプタ２の間に介在させることで、雷サージ及び突入電流に対しても十分に保護機能が発揮される。
【００１５】
前記温度ヒューズ４としては、例えば金属の溶融により切断され電流を遮断する溶断型の温度ヒューズであってもよいし、いわゆるバイメタルヒューズであってもよい。溶断型の温度ヒューズの場合、一度溶断されると、復帰させることはできないが、バイメタルヒューズの場合には、温度が低下すれば再度導通状態に復帰させることができる。
【００１６】
一方、前記スイッチング式ＡＣアダプタ２は、入力側の整流平滑回路５と、電圧を変換するトランス６、出力側の整流平滑回路７とを基本構成とし、これに加えて、前記整流平滑回路５によって平滑した電圧を、制御回路によって制御されるトランジスタ等のスイッチング素子によってオン／オフ制御しながらトランス６に入力するための制御機構８、及びフォトカプラ９を介して前記制御機構８及び前記トランス６の出力側に接続されるＩＣ１０とから構成されている。
【００１７】
前記スイッチング式ＡＣアダプタ２では、前記の通り、入力された電圧は、ダイオードブリッジ等によって整流されるとともにコンデンサによって平滑され、一次巻線が巻装されたトランス６に入力される。このとき、平滑化した電圧は、制御回路によって制御されるトランジスタ等のスイッチング素子によってオン／オフ制御しながらトランス６に入力され、方形波からなる交流電圧に変換される。さらに、トランス６によって電圧が調整された後、二次巻線側回路によって直流電圧に変換される。スイッチング式ＡＣアダプタ２では、スイッチング素子のスイッチング動作を制御回路によって制御して方形波の時間幅を変化させるとともに、トランス６の一次巻線及び二次巻線の巻数比を選択することにより、任意の出力電圧を得ることができる。
【００１８】
前述の構成の保護回路１を備えたスイッチング式ＡＣアダプタ２では、何らかの異常により大電流が流れた場合、先ず、サージ保護用抵抗３が発熱する。すると、その熱が電流ヒューズ４に伝達され、電流ヒューズ４自体の発熱と相俟って電流ヒューズ４を切断する。なお、このときスイッチング式ＡＣアダプタ２の内部温度を利用することも可能である。これらの相乗作用により、前記電流ヒューズ４が異常電流に対して確実に切断され、その結果、スイッチング式ＡＣアダプタ２が過電流から保護されることになる。また、前記電流ヒューズ４の切断によってサージ保護用抵抗３の発熱も停止し、異常発熱により保護回路１の筐体が溶解する等の心配もない。
【００１９】
また、電流ヒューズ４への置き換えではなく、サージ保護用抵抗３も併用しているので、したがって前記保護回路１は、例えば雷サージや突入電流に対しても、十分に保護機能を発揮する。
【図面の簡単な説明】
【００２０】
【図１】本発明の保護回路及びこれを設けたスイッチング式ＡＣアダプタの回路構成を示す図である。
【符号の説明】
【００２１】
１  保護回路、２  スイッチング式ＡＣアダプタ、３  サージ保護用抵抗、４  温度ヒューズ、５  整流平滑回路、６  トランス、７  整流平滑回路、８  制御機構、９  フォトカプラ、１０  ＩＣ
【図１】
2007037383.tif 000003